(57)【特許請求の範囲】
【請求項１】
保管書類を収納する保管書類収納エリアと前記保管書類をピッキングする保管書類ピッキングエリアと前記保管書類の入出庫を管理する集中管理制御エリアとが隔壁によって仕切った状態に画設され、
前記保管書類収納エリアと保管書類ピッキングエリアを画設する隔壁に開設された保管書類取出口に隣接して前記保管書類収納エリア内を巡回移動する複数の保管書類棚ユニットを備えた巡回収納棚と、前記巡回収納棚を巡回移動させる巡回駆動手段と、前記保管書類取出口に配置されて前記保管書類棚ユニットの棚区画にそれぞれ対応して作動する電磁ロック付き開閉扉とピッキング表示器と、前記集中管理制御エリア内に設置されて保管書類のピッキングを管理する集中管理制御手段とが備えられているとともに、
前記巡回駆動手段の駆動源が、前記保管書類収納エリアと隔壁を介して画設された保管書類ピッキングエリアの床下に遠隔配置されていることを特徴とするセキュリティー集中保管庫。
【発明の詳細な説明】
【０００１】
【産業上の利用分野】
本発明は、保管書類を集中して管理する集中保管庫であって、特に、銀行、証券会社などにおいて債権書類や有価証券などの有価重要書類を保管するためのセキュリティー機能を備えたセキュリティー集中保管庫に関するものである。
【０００２】
【従来の技術】
従来、銀行、証券会社、病院などにおいて債権書類、有価証券、患者カルテなどの重要書類を保管書類として集中保管するため移動式収納棚や回転式収納棚を備えた集中保管庫が採用されている。
【０００３】
そして、このような集中保管庫は、保管書類となる重要書類の収納保管効率が良く、保管スペースも省スペース化を実現しており、また、保管された重要書類のセキュリティー対策についても、地震災害に対する耐震構造、火災延焼に対する防火外壁構造、入庫者監視システムなど様々な工夫がなされている。
【０００４】
【発明が解決しようとする課題】
しかしながら、前述したような従来の集中保管庫においては、以下のような問題があった。
【０００５】
すなわち、従来の集中保管庫では、外部要因に対するセキュリティー対策について一応機能することができるものの、重要書類の保護という観点からすると、重要書類のピッキングミスやこれに起因する重要書類の紛失が生じたり、ピッキング対象外の重要書類に対する機密保持が損なわれたり、更には、移動式収納棚や回転式収納棚を移動させる巡回駆動手段に落下書類が詰まるなどして過負荷運転、電気系統の断線や漏電が生じた場合、これに起因して重要書類が焼失する恐れがあるいう厄介な問題があった。
【０００６】
そこで、本発明の目的は、前述した従来技術の問題を解決し、ピッキングすべき保管書類のみを確実かつ簡便にピッキングすることができるとともに保管書類の機密を集中管理することができ、万が一、巡回駆動手段の駆動源に電気系統の障害や過負荷運転などによる火災が発生したとしても保管書類の焼失を確実に防止することができるセキュリティー集中保管庫を提供することである。
【０００７】
【課題を解決するための手段】
本発明であるセキュリティー集中保管庫は、保管書類を収納する保管書類収納エリアと前記保管書類をピッキングする保管書類ピッキングエリアと前記保管書類の入出庫を管理する集中管理制御エリアとが隔壁によって仕切った状態に画設され、
前記保管書類収納エリアと保管書類ピッキングエリアを画設する隔壁に開設された保管書類取出口に隣接して前記保管書類収納エリア内を巡回移動する複数の保管書類棚ユニットを備えた巡回収納棚と、前記巡回収納棚を巡回移動させる巡回駆動手段と、前記保管書類取出口に配置されて前記保管書類棚ユニットの棚区画にそれぞれ対応して作動する電磁ロック付き開閉扉とピッキング表示器と、前記集中管理制御エリア内に設置されて保管書類のピッキングを管理する集中管理制御手段とが備えられているとともに、
前記巡回駆動手段の駆動源が、前記保管書類収納エリアと隔壁を介して画設された保管書類ピッキングエリアの床下に遠隔配置されていることによって、前記課題を解決したものである。
【０００８】
ここで、本発明のセキュリティー集中保管庫における「ピッキング」とは、保管書類を取り出す行為と預け入れる行為の双方を意味している。
【０００９】
また、本発明のセキュリティー集中保管庫において保管対象となる保管書類は、銀行、証券会社などにおける債権書類や有価証券などの有価重要書類、病院などにおける患者カルテなどの機密重要書類であるが、これら以外の重要書類であっても、通常、一括集中して収納管理し、必要に応じてピッキングすることを要する重要書類であれば有効である。
【００１０】
そして、本発明のセキュリティー集中保管庫における巡回収納棚は、保管書類ピッキングエリアの隔壁に開設されたそれぞれの保管書類取出口に隣接して配置することが可能であれば、保管書類収納エリア内における配置台数、配置レイアウトは任意に決定することができる。
【００１１】
さらに、本発明のセキュリティー集中保管庫は、所望の保管書類がピッキングされたことを確認するためのピッキング完了ボタンを保管書類取出口の近傍に別途設置することによって、ピッキング操作のセキュリティーを更に向上させることができる。
【００１２】
【作用】
本発明のセキュリティー集中保管庫は、まず、集中管理制御エリア内に設置された集中管理制御手段から発信するピッキング指令に基づいて保管書類ピッキングエリア内のピッキングすべき保管書類を取り出す位置に配置したピッキング表示器が点灯するともに、保管書類収納エリア内においてピッキングすべき保管書類を収納した巡回収納棚の保管書類棚ユニットが回動して保管書類取出口と向かい合わせの隣接位置で停止する。
【００１３】
そして、ピッキングすべき保管書類を収納した保管書類棚ユニットが保管書類取出口に隣接状態で停止すると、保管書類棚ユニットのピッキングすべき保管書類が存在する棚区画に対応した電磁ロックが解除されて、電磁ロック付き開閉扉のみが保管書類ピッキングエリア内において開扉状態となる。
【００１４】
このような電磁ロック付き開閉扉の開扉状態において、保管書類ピッキングエリア内に入庫した利用者は、ピッキング表示器に表示されたピッキング情報に基づいて棚区画から所望の保管書類をピッキングする。なお、所望の保管書類がピッキングされたことを確認するためのピッキング完了ボタンを保管書類取出口の近傍に別途設置されている場合には、このピッキング完了ボタンを押すことによって、ピッキング完了情報が集中管理制御エリア内に設置された集中管理制御手段にフィードバックされてピッキング履歴としてデータ蓄積される。
【００１５】
そして、利用者が所望の保管書類をピッキングした後、利用者が手動で電磁ロック付き開閉扉が閉扉しピッキング完了ボタンを押すと、電磁ロックが再びロック状態となり、保管書類収納エリア内に全ての保管書類が機密保管状態になる。
【００１６】
なお、ピッキング時における保管書類ピッキングエリア内の利用者の安全を確保するためのマットスイッチを保管書類取出口の足元に敷設した場合には、利用者が保管書類取出口から退去するまでの間、巡回収納棚の保管書類棚ユニットはその誤動作による回動を防止できるように回動停止の状態を維持するようになっている。
【００１７】
【実施例】
本発明の一実施例であるセキュリティー集中保管庫は、保管書類、すなわち、銀行において債権書類や有価証券などの有価重要書類を保管するためのセキュリティー機能を備えたものであって、以下、図面に基づいて説明する。
ここで、本実施例のセキュリティー集中保管庫における「ピッキング」とは、有価重要書類を取り出す行為と預け入れる行為の双方を意味しているので、有価重要書類を取り出す場合を前提として説明することとし、有価重要書類を預け入れる場合はこれに準じて理解するものとする。
【００１８】
まず、図１は、本実施例のセキュリティー集中保管庫における全体概要を示す斜視図であり、図２は、図１の要部を拡大した斜視図であり、図３は、本発明の一実施例であるセキュリティー集中保管庫における保管書類取出口とピッキング表示器の配置形態を示した図であり、図４は、本実施例のセキュリティー集中保管庫における巡回駆動手段の側面図であり、図５は、その平面図である。
【００１９】
そこで、本実施例のセキュリティー集中保管庫は、図１、および、図２に示すように、まず、保管書類、すなわち、債権書類や有価証券などの有価重要書類Ｗを収納するためのスペースである保管書類収納エリア１と有価重要書類Ｗをピッキングするためのスペースである保管書類ピッキングエリア２と有価重要書類の入出庫を管理するためのスペースである集中管理制御エリア３を隔壁４によって仕切った状態に画設されている。なお、前記保管書類収納エリア１と保管書類ピッキングエリア２と集中管理制御エリア３には、図示していないが、監視カメラ等の防犯装置を必要に応じて設置することができる。
【００２０】
そして、前記保管書類収納エリア１内には、複数基の巡回収納棚５が水平巡回状態で設置されており、これらの巡回収納棚５は、無端状に複数連結された保管書類棚ユニット６を備えており、さらに、それぞれの保管書類棚ユニット６は、上下方向に有価重要書類Ｗを収納するための複数の棚区画６ａに区分けされている。
【００２１】
また、前記巡回収納棚５は、後述するような巡回駆動手段７によって保管書類収納エリア１内を巡回移動するようになっている。
【００２２】
そして、前記保管書類ピッキングエリア２の隔壁４には、保管書類収納エリア１内を巡回する保管書類棚ユニット６に収納された有価重要書類Ｗを取り出すための複数の保管書類取出口８が開設されており、これらの保管書類取出口８は、前記巡回収納棚５が巡回する移動経路の折り返し位置の一側において隔壁４を介して隣接した状態となっている。
【００２３】
これらの保管書類取出口８には、電磁ロック付き開閉扉９が１対１対応で設けられており、保管書類棚ユニット６の棚区画６ａ毎に作動するようになっている。
【００２４】
そして、この保管書類取出口８の周壁には、図３に示すように、ピッキングの対象となる電磁ロック付き開閉扉９を指示するための指示灯１０ａ、棚区画６ａ内のアドレス情報を表示するためのアドレス表示灯１０ｂ、ピッキングすべき有価重要書類Ｗの種類や数量などを視認するための表示パネル１０ｃからなるピッキング表示器１０が設置されており、これらのピッキング表示器１０が、ピッキング時に有価重要書類Ｗをピッキングガイドするようになっている。
【００２５】
さらに、前記表示パネル１０ｃの近傍などに、表示パネル１０ｃで表示された通りにピッキングされたことを確認するためのピッキング完了ボタン１１が設けられている。
【００２６】
なお、前記電磁ロック付き開閉扉９は、その高さ及び幅が棚区画６ａの高さ及び幅とそれぞれ略等しく設定されており、これと対向位置にある保管書類棚ユニット６の全ての棚区画６ａに対して有価重要書類Ｗを保管書類ピッキングエリア２側から出し入れできるようになっている。
【００２７】
さらに、前記集中管理制御エリア３内には、保管責任者などのオペレータによって有価重要書類Ｗのピッキングを指示もしくは管理するためのコンピュータ端末機などの集中管理制御手段１２が設置されている。
【００２８】
そこで、本実施例のセキュリティー集中保管庫は、ピッキングすべき有価重要書類Ｗを収納した保管書類棚ユニット６の棚区画６ａが保管書類取出口８に隣接状態で停止すると、この有価重要書類Ｗが存在する棚区画６ａに対応した電磁ロック９ａが解除され、その電磁ロック付き開閉扉９のみが保管書類ピッキングエリア２内において手動により開扉状態となる。この時、指示灯１０ａが点灯してピッキングの対象となる電磁ロック付き開閉扉９を示し、アドレス表示灯１０ｂが棚区画６ａ内のアドレス情報を示し、表示パネル１０ｃがピッキングすべき有価重要書類Ｗの種類や数量などを電光表示して、有価重要書類Ｗをピッキングガイドする。
【００２９】
このような状態で表示パネル１０ｃに表示された通りにピッキングを完了して電磁ロック付き開閉扉９を手動で閉扉した後、ピッキング完了ボタン１１を押すことによって、電磁ロック付き開閉扉９は、再びロック状態になる。そうすると、ピッキング完了情報が集中管理制御エリア３内に設置された集中管理制御手段１２にフィードバックされてピッキング履歴としてデータ蓄積される。
【００３０】
なお、上述したようなピッキング操作と異なる操作が為された場合、図示していないが、警告ブザー等の報知手段によって異常操作状態を報知するようにしてもよい。
【００３１】
つぎに、前述した巡回駆動手段７の具体的な装置構造および配置形態について詳しく説明する。
【００３２】
図４、および、図５に示すように、まず、前記巡回駆動手段７は、電動機からなる駆動源７ａと、この駆動源７ａの駆動力を伝達する伝達軸７ｂと、この伝達軸７ｂを介して伝達される直交減速機７ｃと、この直交減速機７ｃの垂直軸に軸着された駆動鎖車７ｄと、この駆動鎖車７ｄと図示しない従動鎖車との間に巻回された無端状駆動チェーン７ｅを備えている。
【００３３】
そして、前記巡回駆動手段７の駆動源７ａとなる電動機は、保管書類収納エリア１と隔壁４を介して画設された保管書類ピッキングエリア２の床下に設けられており、少なくとも、巡回収納棚５が設置されている保管書類収納エリア１と遠隔した状態となっている。また、前記直交減速機７ｃは、保管書類収納エリア１の床下に設置されている。
【００３４】
このようにして、前記巡回駆動手段７は、駆動源７ａの駆動力が直交減速機７ｃを介して駆動鎖車７ｄに伝達され、無端状駆動チェーン７ｅを回動させると同時に、この無端状駆動チェーン７ｅに係止されている巡回収納棚５の保管書類棚ユニット６を巡回させることができる。なお、前記巡回収納棚５の各保管書類棚ユニット６は、その下面に片持ち状態で取り付けられている支持車輪６ｂが保管書類収納エリア１の床に敷設されている長円形状のガイドレール７ｆ上に支持されて、閉じた巡回経路を循環移動できるようになっている。
【００３５】
なお、本実施例のセキュリティー集中保管庫は、保管書類収納エリア１内に設置する巡回収納棚５として複数の保管書類棚ユニット６が水平方向に巡回移動する水平巡回式のものを例示しているが、複数の保管書類棚ユニット６が上下方向に巡回移動する垂直巡回式のものであっても良い。
【００３６】
また、ピッキング作業時の安全性を確保するために、前記電磁ロック付き開閉扉９と集中管理制御手段１２の間にインターロック機構を設けて、保管書類棚ユニット６が完全に停止した状態でなければ電磁ロック付き開閉扉９を開扉することができないようにするとともに、電磁ロック付き開閉扉９を閉扉した状態でなければ、保管書類棚ユニット６を移動できないようにしている。具体的には、マットスイッチ１３を保管書類取出口８の足元に敷設して、利用者が保管書類取出口８から退去するまでの間、保管書類棚ユニット６の誤動作による回動を制止している。
【００３７】
以上のとおりであるから、本実施例のセキュリティー集中保管庫は、保管書類収納エリア１への利用者の立ち入りを阻止することができ、ピッキングすべき有価重要書類Ｗのみがピッキング可能であるから、保管書類収納エリア１内の有価重要書類Ｗを機密保持することができる。
【００３８】
また、本実施例のセキュリティー集中保管庫は、ピッキング表示器１０のピッキング情報に基づいて確実かつ簡便にピッキングすることができるので、利用者のピッキング負担を軽減することができ、しかも、ピッキング完了ボタン１１によってピッキング完了情報が集中管理制御エリア３内に設置された集中管理制御手段１２にデータ蓄積され、有価重要書類Ｗの入出庫状況を明確に管理することができる。
【００３９】
さらに、本実施例のセキュリティー集中保管庫は、巡回駆動手段７の駆動源７ａが保管書類収納エリア１と隔壁４を介して画設された保管書類ピッキングエリア２の床下に遠隔配置されているので、仮に、万が一、駆動源７ａである電動機で断線、漏電などの原因によって出火しても、保管書類収納エリア１内への延焼を確実に防止することができるとともに、保管書類収納エリア１内に駆動源７ａを配置していないスペース分だけ巡回収納棚５をより多段にするなど大型化してその収納効率の増加が期待できる。
なお、本実施例のセキュリティー集中保管庫は、銀行、あるいは証券会社において多量に保有する債権書類や有価証券などの有価重要書類を保管するための一括集中保管庫として利用することができるばかりでなく、セーフティーボックスと称する貸金庫として活用することも可能であり、各種財産を書類形態で万全に財産管理することができる。
【００４０】
【発明の効果】
このようにして得られた本発明のセキュリティー集中保管庫は、特有の保管庫構造を備えているので、以下のような効果を奏することができる。
【００４１】
すなわち、本発明のセキュリティー集中保管庫は、保管書類収納エリアと保管書類ピッキングエリアを画設する隔壁によって、保管書類をピッキングする利用者の保管書類収納エリアへの立ち入りが必然的に阻止されるので、保管書類収納エリア内に存在する保管書類を万全に機密管理することができる。
【００４２】
本発明のセキュリティー集中保管庫は、ピッキングすべき保管書類を収納している保管書類棚ユニットの棚区画に対応した電磁ロック付き開閉扉のみが集中管理制御手段の制御指令によって開閉されるので、ピッキングすべき保管書類のみがピッキング可能となり、従来のような他の保管書類の不用意なピッキングを防止することができ、保管書類収納エリア内に収納している保管書類の機密を万全に確保することができる。
【００４３】
本発明のセキュリティー集中保管庫は、保管書類ピッキングエリア内に入庫した利用者がピッキング表示器に表示されたピッキング情報に基づいて棚区画から所望の保管書類を確実かつ簡便にピッキングすることができるので、利用者のピッキング負担を軽減することができる。また、所望の保管書類がピッキングされたことを確認するためのピッキング完了ボタンを保管書類取出口の近傍に設置されている場合には、ピッキング完了情報が集中管理制御エリア内に設置された集中管理制御手段にピッキング履歴としてデータ蓄積されるので、保管書類の入出庫状況を明確に管理することができる。
【００４４】
本発明のセキュリティー集中保管庫は、巡回駆動手段の駆動源が隔壁で画設された保管書類収納エリアと隔壁を介して画設された保管書類ピッキングエリアの床下に遠隔配置されていることによって、仮に、万が一、保管書類ピッキングエリアの床下に遠隔配置された巡回駆動手段の駆動源において断線、漏電などの原因による火災が発生したとしても保管書類収納エリア内に収納保管されている保管書類の焼失を確実に防止することができるので、従来のような移動式収納棚や回転式収納棚を移動する巡回駆動手段の駆動源に起因した重要書類焼失の恐れを解消することができ、また、隔壁が防火壁である場合には、上述した巡回駆動手段の駆動源に関する庫内火災要因ばかりでなく、火災延焼などの庫外火災要因による保管書類の焼失も防止することができ、さらに、保管書類収納エリア内に巡回駆動手段の駆動源を設置するためのスペースを確保する必要がなくなるため、巡回収納棚をより多段にするなど大型化することができ、保管書類の収納効率を更に向上することができる。
【図面の簡単な説明】
【図１】本発明の一実施例であるセキュリティー集中保管庫の全体概要を示す斜視図。
【図２】図１の要部を拡大した斜視図。
【図３】本発明の一実施例であるセキュリティー集中保管庫における保管書類取出口とピッキング表示器の配置形態を示した図。
【図４】図１に示したセキュリティー集中保管庫における巡回駆動手段の側面図。
【図５】図１に示したセキュリティー集中保管庫における巡回駆動手段の平面図。
【符号の説明】
１      ・・・    保管書類収納エリア
２      ・・・    保管書類ピッキングエリア
３      ・・・    集中管理制御エリア
４      ・・・    隔壁
５      ・・・    巡回収納棚
６      ・・・    保管書類棚ユニット
６ａ    ・・・    棚区画
６ｂ    ・・・    支持車輪
７      ・・・    巡回駆動手段
７ａ    ・・・    駆動源（電動機）
７ｂ    ・・・    伝達軸
７ｃ    ・・・    直交減速機
７ｄ    ・・・    駆動鎖車
７ｅ    ・・・    無端状駆動チェーン
７ｆ    ・・・    ガイドレール
８      ・・・    保管書類取出口
９      ・・・    電磁ロック付き開閉扉
９ａ    ・・・    電磁ロック
１０    ・・・    ピッキング表示器
１０ａ  ・・・    指示灯
１０ｂ  ・・・    アドレス表示灯
１０ｃ  ・・・    表示パネル
１１    ・・・    ピッキング完了ボタン
１２    ・・・    集中管理制御手段
１３    ・・・    マットスイッチ
Ｗ      ・・・    有価重要書類（保管書類）
【図１】
0003669678.tif 000002
【図２】
0003669678.tif 000003
【図３】
0003669678.tif 000004
【図４】
0003669678.tif 000005
【図５】
0003669678.tif 000006